(57)【要約】【課題】精度良く鍵盤の押下量を検出することができる磁気式鍵盤装置を提供すること。【解決手段】磁気式鍵盤装置１０は、使用者の押下動作に応じて揺動可能な鍵盤（白鍵１１、黒鍵１２）と、この鍵盤（白鍵１１、黒鍵１２）に固定された磁石２６と、この磁石２６から発生する磁界の向きを検出するＧＭＲ素子２４と、このＧＭＲ素子２４により検出された磁界の向きに応じて上記鍵盤の押下量を検出する検出手段と、を具備することを特徴とする。【選択図】図２
2008176164.tif 000002
【特許請求の範囲】
【請求項１】
使用者の押下動作に応じて揺動可能な鍵盤と、前記鍵盤に固定された磁石と、前記磁石から発生する磁界の向きを検出する磁気検出素子と、前記磁気検出素子により検出された磁界の向きに応じて前記鍵盤の押下量を検出する検出手段と、を具備することを特徴とする磁気式鍵盤装置。
【請求項２】
前記磁石を、前記鍵盤における使用者に対向する側面の内側部分に固定したことを特徴とする請求項１記載の磁気式鍵盤装置。
【請求項３】
前記磁石を、一定角度だけ傾斜させた状態で固定したことを特徴とする請求項２記載の磁気式鍵盤装置。
【請求項４】
前記磁石に対し、前記磁気検出素子を挟んで磁性体を対向配置したことを特徴とする請求項３記載の磁気式鍵盤装置。
【請求項５】
前記磁石に対し、前記磁気検出素子を挟んで他の磁石を対向配置したことを特徴とする請求項３記載の磁気式鍵盤装置。
【請求項６】
前記他の磁石を、前記磁石の角度と反対側に一定角度だけ傾斜させた状態で前記鍵盤に固定したことを特徴とする請求項５記載の磁気式鍵盤装置。
【請求項７】
前記磁石を、使用者の前記鍵盤に対する押下動作に応じて当該磁石が前記磁気検出素子の側方近傍を通過する位置に配置したことを特徴とする請求項２記載の磁気式鍵盤装置。
【請求項８】
前記磁気検出素子を、ＧＭＲ素子で構成したことを特徴とする請求項１から請求項７のいずれかに記載の磁気式鍵盤装置。
【発明の詳細な説明】
【技術分野】
【０００１】
本発明は、磁気式鍵盤装置に関し、特に、電子鍵盤楽器用の鍵盤装置に適用される磁気式鍵盤装置に関する。
【背景技術】
【０００２】
従来、電子鍵盤楽器用の鍵盤装置において、磁気センサによって鍵盤の押下量を検出し、この押下量に基づいて押下速度を算出する磁気式鍵盤装置が提案されている（例えば、特許文献１参照）。かかる磁気式鍵盤装置においては、例えば、磁石と、ホール素子とから成る磁気センサによって鍵盤の押下量を検出し、この押下量に基づいて押下速度を算出している。
【特許文献１】特開２００５−９２０５７号公報
【発明の開示】
【発明が解決しようとする課題】
【０００３】
しかしながら、上述したようなホール素子を用いた磁気式鍵盤装置においては、磁石の接近に伴うホール素子からの電圧信号と、予め用意された閾値との比較において鍵盤の押下量を検出するため、閾値との関係で検出することができない範囲が生じてしまう結果、精度良く鍵盤の押下量を検出することが困難であるという問題がある。
【０００４】
本発明はかかる問題点に鑑みてなされたものであり、精度良く鍵盤の押下量を検出することができる磁気式鍵盤装置を提供することを目的とする。
【課題を解決するための手段】
【０００５】
本発明の磁気式鍵盤装置は、使用者の押下動作に応じて揺動可能な鍵盤と、前記鍵盤に固定された磁石と、前記磁石から発生する磁界の向きを検出する磁気検出素子と、前記磁気検出素子により検出された磁界の向きに応じて前記鍵盤の押下量を検出する検出手段と、を具備することを特徴とする。
【０００６】
この構成によれば、磁気検出素子により検出された磁界の向きに応じて鍵盤の押下量が検出されることから、予め用意された閾値との比較において鍵盤の押下量を検出する従来の鍵盤装置のように、閾値との関係で検出できない範囲が発生しないので、精度良く鍵盤の押下量を検出することが可能となる。
【０００７】
上記磁気式鍵盤装置においては、前記磁石を、前記鍵盤における使用者に対向する側面の内側部分に固定することが好ましい。この場合、鍵盤における最もストロークの大きい位置に磁石が配置されることから、磁気検出素子で検出する磁界の向きの変化する範囲を大きくすることができるので、より精度良く鍵盤の押下量を検出することが可能となる。
【０００８】
また、上記磁気式鍵盤装置においては、前記磁石を、一定角度だけ傾斜させた状態で固定することが好ましい。この場合には、磁石の角度に応じて、鍵盤の押下動作に伴って磁界の向きを変化させることできるので、使用者による鍵盤の押下動作に応じて正確に鍵盤の押下量を検出することが可能となる。
【０００９】
特に、上記磁気式鍵盤装置においては、前記磁石に対し、前記磁気検出素子を挟んで磁性体を対向配置することが好ましい。この場合には、磁石と磁性体との間に磁界を発生させ易くすることができることから、その間に配置される磁気検出素子で確実に磁界の向きを検出することが可能となる。
【００１０】
また、上記磁気式鍵盤装置においては、前記磁石に対し、前記磁気検出素子を挟んで他の磁石を対向配置するようにしても良い。この場合には、磁石と他の磁石との間に更に磁界を発生させ易くすることができることから、その間に配置される磁気検出素子で確実に磁界の向きを検出することが可能となる。
【００１１】
特に、上記磁気式鍵盤装置においては、前記他の磁石を、前記磁石の角度と反対側に一定角度だけ傾斜させた状態で前記鍵盤に固定することが好ましい。この場合には、双方の磁石の角度に応じて、鍵盤の押下動作に伴って磁界の向きを変化させることできるので、使用者による鍵盤の押下動作に応じて正確に鍵盤の押下量を検出することが可能となる。
【００１２】
なお、上記磁気式鍵盤装置においては、前記磁石を、使用者の前記鍵盤に対する押下動作に応じて当該磁石が前記磁気検出素子の側方近傍を通過する位置に配置するようにしても良い。この場合には、磁気検出素子の側方近傍を通過する磁石の位置に応じて磁界の向きを変化させることできるので、使用者による鍵盤の押下動作に応じて正確に鍵盤の押下量を検出することが可能となる。
【００１３】
上記磁気式鍵盤装置においては、前記磁気検出素子を、ＧＭＲ素子で構成することが好ましい。このように磁気検出素子をＧＭＲ素子で構成することにより、磁石から発生する磁界の向きを的確に検出することができるので、複雑な制御を必要とすることなく、精度良く鍵盤の押下量を検出することが可能となる。
【発明の効果】
【００１４】
本発明によれば、磁気検出素子により検出された磁界の向きに応じて鍵盤の押下量が検出されることから、予め用意された閾値との比較において鍵盤の押下量を検出する従来の鍵盤装置のように、閾値との関係で検出できない範囲が発生しないので、精度良く鍵盤の押下量を検出することが可能となる。
【発明を実施するための最良の形態】
【００１５】
以下、本発明の実施の形態について添付図面を参照して詳細に説明する。なお、本実施の形態に係る磁気式鍵盤装置は、磁石と磁気検出素子とから成る磁気センサによって磁石から発生する磁界の向きを検出し、その検出結果に応じて不図示の検出手段により鍵盤の押下量を検出するものである。磁界の向きを検出するための構成以外の構成については、特に限定されるものではない。従って、以下においては、磁界の向きを検出するための構成について説明するものとし、その他の構成についての説明は省略する。
【００１６】
図１は、本発明の実施の形態に係る磁気式鍵盤装置の外観の一部を示す図である。図１に示すように、本実施の形態に係る磁気式鍵盤装置１０は、通常のアコースティックピアノと同様に、白鍵１１及び黒鍵１２を備えている。これらの白鍵１１及び黒鍵１２の下方には、それぞれプリント配線基板（ＰＷＢ）を収納する収納部１３が設けられている。なお、図１においては、黒鍵１２の下方に設けられた収納部１３は省略している。
【００１７】
収納部１３に収納されるプリント配線基板には、磁気検出素子、磁性体や磁石などの磁界の向きを検出するための構成要素（以下、適宜「磁界向き検出要素」という）が固定されている。以下、これらの磁界向き検出要素の内容及び配置を変更した複数の実施の形態について説明する。
【００１８】
（実施の形態１）
図２は、本発明の実施の形態１に係る磁気式鍵盤装置１０を側方から見た場合の模式図である。図２においては、白鍵１１の収納部１３内の構成について示している。なお、黒鍵１２の収納部１３内の構成は、白鍵１１の収納部１３内の構成と実質的に同一であるため、その説明は省略する。図２においては、白鍵１１が非押下状態である場合を実線で示し、押下状態である場合を破線で示している。
【００１９】
図２に示すように、収納部１３は、白鍵１１の下面側に連続して形成されており、下方に開口している。収納部１３の下方領域には、プリント配線基板２１が配設されている。プリント配線基板２１における図２に示す右方側の端部近傍には、白鍵１１を支持する支持軸２２が立設されている。支持軸２２は、その上端に凹部が形成されており、この凹部において、収納部１３の下面側に形成された突起部１３ａを収容するように構成されている。
【００２０】
白鍵１１における図２に示す右方側の端部には、スプリング２３の一端が取り付けられている。スプリング２３の他端は、不図示の筐体に取り付けられている。スプリング２３の付勢力により、白鍵１１の右方側の端部には、収納部１３の突起部１３ａと、支持軸２２の凹部との接触点を支点として下方側に引っ張る力が作用している。このような構成により、白鍵１１は、使用者による白鍵１１の押下動作に応じて上下方向に揺動可能に構成されている。なお、図２に示す破線は、使用者により最下方位置まで押下された状態について示している。
【００２１】
プリント配線基板１３における図２に示す左方側の端部近傍には、磁気検出素子としてのＧＭＲ素子（磁気抵抗効果素子）２４が実装されている。このＧＭＲ素子２４から図２に示す右方側に一定距離だけ離間した位置に磁性体２５が立設されている。一方、収納部１３における図２に示す左方側の側面には、磁石２６が固定されている。磁石２６は、ＧＭＲ素子２４を挟んで磁性体２５と対向するように配置されている。この場合において、磁石２６は、ＧＭＲ素子２４側にＮ極が着磁され、収納部１３との固定部側にＳ極が着磁されている。
【００２２】
実施の形態１に係る磁気式鍵盤装置１０においては、ＧＭＲ素子２４を挟んで磁石２６及び磁性体２５を配置し、磁石２６から発生する磁界をＧＭＲ素子２４に作用させる。そして、ＧＭＲ素子２４の電気抵抗値の変化を、磁石２６から発生する磁界の向きにより生じさせ、当該ＧＭＲ素子２４の電気抵抗値に基づく出力信号から磁界の向きを検出する。
【００２３】
ここで、収納部１３の側面部に固定された磁石２６の構成について図３を用いて説明する。図３は、実施の形態１に係る磁気式鍵盤装置１０を図２に示す左方側から見た場合の拡大図である。なお、図３においては、図２と同様に、白鍵１１が非押下状態である場合を実線で示し、押下状態である場合を破線で示している。
【００２４】
図３に示すように、実施の形態１に係る磁気式鍵盤装置１０において、磁石２６は、収納部１３の側面に対して一定角度だけ傾斜した状態で固定されている。なお、磁石２６の配置及び傾斜角度については、磁石２６が有する磁力の強度やＧＭＲ素子２４との距離等に応じて任意に変更可能である。
【００２５】
実施の形態１に係る磁気式鍵盤装置１０において、磁石２６は、図３に示すように、白鍵１１が非押下状態でその下端部がＧＭＲ素子２４よりも僅かに上方側に配置されている。一方、押下状態（最下方まで押下された状態）でその上端部近傍がＧＭＲ素子２４の側面に対応する位置よりに配置されている。これにより、押下動作が開始した時点、並びに、押下動作が終了した時点を確実に検出することが可能となる。
【００２６】
また、実施の形態１に係る磁気式鍵盤装置１０において、磁石２６は、図３に示すように、その上端部と下端部とで構成される幅がＧＭＲ素子２４の幅よりも僅かに大きくなるように傾斜している。これにより、磁石１６から発生する磁界をＧＭＲ素子２４に有効に作用させ、これを検出することが可能となる。
【００２７】
このように磁石２６を傾斜させて配置した場合にＧＭＲ素子２４で検出される磁界の向きについて図４を用いて説明する。図４は、実施の形態１に係る磁気式鍵盤装置のＧＭＲ素子２４で検出される磁界の向きについて説明するための図である。図４においては、図３に示した白鍵１１を上方側から見た場合について示している。なお、ここでは、説明の便宜上、磁石２６を下方側から５つの部分に分けて説明する。
【００２８】
使用者による白鍵１１の押下動作が開始されると、磁石２６の最も下方側の部分と磁性体２５との間に磁界が発生することにより、図４に示す磁界の向きＶ１が検出される。この状態から白鍵１１が押下されると、磁石２６の下方側から２番目の部分と磁性体２５との間に磁界が発生することにより、図４に示す磁界の向きＶ２が検出される。同様に、白鍵１１が押下されていくと、磁石２６の中央部分及び上方側から２番目の部分と磁性体２５との間に磁界が発生することにより、図４に示す磁界の向きＶ３及びＶ４が検出される。そして、最下方位置まで白鍵１１が押下されると、磁石２６の最も上方側の部分と磁性体２５との間に磁界が発生することにより、図４に示す磁界の向きＶ５が検出される。
【００２９】
ここで、磁界の向きの検出に伴うＧＭＲ素子２４の出力値の変化について図５を用いて説明する。図５は、実施の形態１に係る磁気式鍵盤装置１０におけるＧＭＲ素子２４の出力値の変化について説明するための図である。なお、図５においては、白鍵１１が急激に押下された場合の出力値について曲線Ｘで示し、白鍵１１がゆっくり押下された場合の出力値について曲線Ｙで示している。
【００３０】
図５に示すように、実施の形態１に係る磁気式鍵盤装置１０においては、使用者による白鍵１１の押下動作に応じて磁石２６から発生する磁界の向きが変化し、これに応じてＧＭＲ素子２４の出力値が変化する。白鍵１１が急激に押下された場合には、曲線Ｘに示すように、時点Ｔ１から急激に上昇する出力値が検出される。一方、白鍵１１がゆっくり押下された場合には、曲線Ｙに示すように、時点Ｔ２から次第に上昇する出力値が検出される。
【００３１】
このように実施の形態１に係る磁気式鍵盤装置１０によれば、ＧＭＲ素子２４により検出された磁界の向きに応じて鍵盤の押下量が検出されることから、予め用意された閾値との比較において鍵盤の押下量を検出する従来の鍵盤装置のように、閾値との関係で検出できない範囲が発生しないので、精度良く鍵盤の押下量を検出することが可能となる。
【００３２】
また、実施の形態１に係る磁気式鍵盤装置１０においては、磁石２６を、白鍵１１の収納部１３における使用者に対向する側面の内側部分に固定している。これにより、白鍵１１における最もストロークの大きい位置に磁石２６が配置されることから、ＧＭＲ素子２４で検出する磁界の向きの変化する範囲を大きくすることができるので、より精度良く白鍵１１の押下量を検出することが可能となる。
【００３３】
特に、実施の形態１に係る磁気式鍵盤装置１０においては、磁石２６を、一定角度だけ傾斜させた状態で収納部１３の側面に固定している。これにより、磁石２６の角度に応じて、白鍵１１の押下動作に伴って磁界の向きを変化させることできるので、使用者による白鍵１１の押下動作に応じて正確に鍵盤の押下量を検出することが可能となる。
【００３４】
さらに、実施の形態１に係る磁気式鍵盤装置１０においては、磁石２６に対し、ＧＭＲ素子２４を挟んで磁性体２５を対向配置させている。これにより、磁石２６と磁性体２５との間に磁界を発生させ易くすることができることから、その間に配置されるＧＭＲ素子２４で確実に磁界の向きを検出することが可能となる。
【００３５】
なお、実施の形態１に係る磁気式鍵盤装置１０においては、ＧＭＲ素子２４により検出した磁界の向きに鍵盤（白鍵１１）の押下量を検出する。この場合において、磁界の向きは、例えば、白鍵１１の押下動作に応じて変化するだけでなく、押下動作後の左右への揺動動作に応じても変化する。
【００３６】
実施の形態１に係る磁気式鍵盤装置１０においては、これを利用し、押下操作後の左右への揺動動作に応じて発音中の音にビブラートやトレモロを掛ける等の発音制御を行う。なお、この場合におけるＧＭＲ素子２４の磁界の向きの検出処理については、押下動作に応じた磁界の向きの検出処理と同様の要領で行われるため、その説明を省略する。
【００３７】
図６は、実施の形態１に係る磁気式鍵盤装置１０におけるＧＭＲ素子２４の出力値の変化について説明するための図である。なお、図６においては、白鍵１１に対する押下動作が行われた後、使用者による左右の揺動動作が行われた場合の出力値について示している。図６に示すように、白鍵１１に対して使用者による左右の揺動動作が行われた場合には、時点Ｔ３からある範囲の幅で増減する出力値が検出されることとなる。
【００３８】
（実施の形態２）
実施の形態１に係る磁気式鍵盤装置１０においては、プリント配線基板２１にＧＭＲ素子２４及び磁性体２５を固定すると共に、白鍵１１の収納部１３に磁石２６を固定し、磁石２６から発生する磁界の向きを検出している。実施の形態２に係る磁気式鍵盤装置１０においては、プリント配線基板２１にＧＭＲ素子２４のみを固定する一方、白鍵１１の収納部１３に２つの磁石２６を固定し、双方の磁石２６の間に発生する磁界の向きを検出する点で、実施の形態１に係る磁気式鍵盤装置１０と相違する。
【００３９】
以下、実施の形態２に係る磁気式鍵盤装置１０の構成について図７を用いて説明する。図７は、実施の形態２に係る磁気式鍵盤装置１０を側方から見た場合の模式図である。なお、図７において、図２と同一の構成については、同一の符号を付し、その説明を省略する。また、図７においては、図２と同様に、白鍵１１が非押下状態である場合を実線で示し、押下状態である場合を破線で示している。
【００４０】
実施の形態２に係る磁気式鍵盤装置１０においては、白鍵１１の収納部１３における図７に示す左方側の側面に磁石２６ａが固定されると共に、中央近傍に形成された壁面１３ｂに磁石２６ｂが固定されている点で実施の形態１に係る磁気式鍵盤装置１０と相違する。この場合において、磁石２６ｂは、ＧＭＲ素子２４側にＳ極が着磁され、壁面１３ｂとの固定部側にＮ極が着磁されている。なお、磁石２６ａは、実施の形態１に係る磁気式鍵盤装置１０の磁石２６と同様に着磁されている。
【００４１】
なお、その他の構成は、実施の形態１に係る磁気式鍵盤装置１０と同様であり、白鍵１１の上下方向の揺動動作についても実施の形態１に係る磁気式鍵盤装置１０と同様である。この場合において、実施の形態２に係るプリント配線基板２１においては、白鍵１１の押下状態で壁面１３ｂ及びこれに固定された磁石２６ｂが進入可能なスリット（不図示）が形成されている。
【００４２】
ここで、収納部１３の側面部及び壁面１３ｂに固定された磁石２６ａ及び２６ｃの構成について図８を用いて説明する。図８は、実施の形態２に係る磁気式鍵盤装置１０を図２に示す左方側から見た場合の拡大図である。なお、図８においては、図７と同様に、白鍵１１が非押下状態である場合を実線で示し、押下状態である場合を破線で示している。また、説明の便宜上、壁面１３ｂに固定された磁石２６ｂについても破線で示している。
【００４３】
図８に示すように、実施の形態２に係る磁気式鍵盤装置１０において、磁石２６ａは、実施の形態１に係る磁石２６と同様に、収納部１３の側面に対して一定角度だけ傾斜した状態で固定されている。また、磁石２６ｂは、壁面１３ｂに対して一定角度だけ傾斜した状態で固定されている。この場合において、磁石２６ｂは、磁石２６ａとは反対側に傾斜した状態で固定されている。すなわち、図８に示す手前側から見た場合に双方の磁石２６ａ及び磁石２６ｂは、Ｘ字状に交差している。なお、磁石２６ａ及び磁石２６ｂの配置及び傾斜角度については、これらが有する磁力の強度やＧＭＲ素子２４との距離等に応じて任意に変更可能である。
【００４４】
このように磁石２６ａ及び磁石２６ｂを交差させて配置した場合にＧＭＲ素子２４で検出される磁界の向きについて図９を用いて説明する。図９は、実施の形態２に係る磁気式鍵盤装置１０のＧＭＲ素子２４で検出される磁界の向きについて説明するための図である。図９においては、図８に示した白鍵１１を上方側から見た場合について示している。なお、ここでは、説明の便宜上、磁石２６ａ及び磁石２６ｂを下方側から５つの部分に分けて説明する。
【００４５】
使用者による白鍵１１の押下動作が開始されると、磁石２６ａの最も下方側の部分と磁石２６ｂの最も下方側の部分との間に磁界が発生することにより、図９に示す磁界の向きＶ１が検出される。この状態から更に白鍵１１が押下されると、双方の磁石２６の下方側から２番目の部分間に磁界が発生することにより、図９に示す磁界の向きＶ２が検出される。同様に、白鍵１１が押下されていくと、双方の磁石２６の中央部分及び上方側から２番目の部分間に磁界が発生することにより、図９に示す磁界の向きＶ３及びＶ４が検出される。そして、最下方位置まで白鍵１１が押下されると、双方の磁石２６の最も上方側の部分間に磁界が発生することにより、図９に示す磁界の向きＶ５が検出される。
【００４６】
このように実施の形態２に係る磁気式鍵盤装置１０のＧＭＲ素子２４で検出される磁界の向きについては、結果として、実施の形態１と同様である。しかしながら、実施の形態２に係る磁気式鍵盤装置１０においては、ＧＭＲ素子２４を一対の磁石２６ａ及び磁石２６ｂで挟んで配置したことから、双方の磁石２６の間に強い磁界を発生させ易くすることができ、より確実に磁界の向きをＧＭＲ素子２４で確実に検出することが可能となる。
【００４７】
特に、実施の形態２に係る磁気式鍵盤装置１０においては、磁石２６ｂを、磁石２６ａの角度と反対側に一定角度だけ傾斜させた状態で収納部１３の壁面１３ｂに固定している。これにより、双方の磁石２６の角度に応じて、白鍵１１の押下動作に伴って磁界の向きを変化させることできるので、使用者による白鍵１１の押下動作に応じて正確に白鍵１１の押下量を検出することが可能となる。
【００４８】
（実施の形態３）
実施の形態１に係る磁気式鍵盤装置１０においては、ＧＭＲ素子２４を、白鍵１１の収納部１３に固定された磁石２６とプリント配線基板２１に固定された磁性体２５との間に挟んで配置し、磁石２６と磁性体２５との間に発生する磁界の向きを検出している。実施の形態３に係る磁気式鍵盤装置１０においては、磁性体２５を配置せず、白鍵１１の収納部１３に固定された磁石２６から発生する磁界の向きを検出する点で、実施の形態１に係る磁気式鍵盤装置１０と相違する。
【００４９】
以下、実施の形態３に係る磁気式鍵盤装置１０の構成について図１０を用いて説明する。図１０は、実施の形態３に係る磁気式鍵盤装置１０を側方から見た場合の模式図である。なお、図１０において、図２と同一の構成については、同一の符号を付し、その説明を省略する。また、図１０においては、図２と同様に、白鍵１１が非押下状態である場合を実線で示し、押下状態である場合を破線で示している。
【００５０】
図１０に示すように、実施の形態３に係る磁気式鍵盤装置１０は、プリント配線基板２１にＧＭＲ素子２４が立設した状態で実装される点、並びに、プリント配線基板２１に磁性体２５が立設されていない点において、図２に示す実施の形態１に係る磁気式鍵盤装置１０と相違する。この場合において、磁石２６は、実施の形態１に係る磁気式鍵盤装置１０と同様に、ＧＭＲ素子２４側にＮ極が着磁され、収納部１３との固定部側にＳ極が着磁されている。なお、その他の構成は、実施の形態１に係る磁気式鍵盤装置１０と同様である。
【００５１】
ここで、収納部１３の側面部に固定された磁石２６の構成と、この磁石２６とＧＭＲ素子２４との位置関係について図１１を用いて説明する。図１１は、実施の形態３に係る磁気式鍵盤装置１０を図１０に示す左方側から見た場合の拡大図である。なお、図１１においては、図１０と同様に、白鍵１１が非押下状態である場合を実線で示し、押下状態である場合を破線で示している。
【００５２】
図１１に示すように、実施の形態３に係る磁気式鍵盤装置１０において、磁石２６は、円形状を有しており、収納部１３の側面における同図に示す左方側寄りの位置に固定されている。この場合において、磁石２６は、使用者による白鍵１１の押下動作に応じて、プリント配線基板２１に実装されるＧＭＲ素子２４の図１１に示す左方側であって、ＧＭＲ素子２４の近傍を通過する位置に配置されている。
【００５３】
実施の形態３に係る磁気式鍵盤装置１０において、磁石２６から発生する磁界は、図１２に示す下方側に配置された磁石２６のＮ極から、同図に示す上方側に配置された磁石２６のＳ極に向かって形成される。ＧＭＲ素子２４は、使用者による白鍵１１の押下動作に伴う磁石２６の上下運動時において、このように発生する磁界の向きを検出する。
【００５４】
なお、ここでは、磁石２６の形状が円形状である場合について示しているが、磁石２６の形状についてはこれに限定されるものではなく、適宜変更が可能である。ＧＭＲ素子２４との関係において、磁石２６から発生する磁界が、図１２に示すように発生すれば、いかなる形状を採用しても良い。例えば、ＧＭＲ素子２４側に周面を向けた半円形状としても良い。
【００５５】
また、ここでは、磁石２６が、使用者による白鍵１１の押下動作に応じてＧＭＲ素子２４の近傍を通過する位置に配置される場合について示しているが、磁石２６の配置については、磁石２６が有する磁力の強度等に応じて任意に変更可能である。ＧＭＲ素子２４との関係において、磁石２６から発生する磁界が、図１２に示すように発生すれば、いかなる位置に配置しても良い。例えば、図１１に示す磁石２６の右方側の一部がＧＭＲ素子２４上を通過するような位置に配置しても良い。
【００５６】
このように磁石２６を配置した場合にＧＭＲ素子２４で検出される磁界の向きについて図１３を用いて説明する。図１３は、実施の形態３に係る磁気式鍵盤装置１０のＧＭＲ素子２４で検出される磁界の向きについて説明するための図である。図１３においては、図１１と同様に、実施の形態３に係る磁気式鍵盤装置１０を図１０に示す左方側から見た場合について示すと共に、白鍵１１が非押下状態である場合を実線で示し、押下状態である場合を破線で示している。
【００５７】
使用者による白鍵１１の押下動作が開始されると、磁石２６がＧＭＲ素子２４の図１３に示す左上方側に配置されることから、図１３に示す磁界の向きＶ１が検出される。この状態から白鍵１１が押下されると、磁石２６が僅かに図１３に示す下方側に移動し、ＧＭＲ素子２４の僅かに左上方側に配置されることから、図１３に示す磁界の向きＶ２が検出される。白鍵１１が更に押下されると、磁石２６がＧＭＲ素子２４の図１３に示す左方側に配置されることとなり、図１３に示す磁界の向きＶ３が検出される。この状態から白鍵１１が押下されると、磁石２６が僅かに図１３に示す下方側に移動し、ＧＭＲ素子２４の僅かに左下方側に配置されることから、図１３に示す磁界の向きＶ４が検出される。そして、最下方位置まで白鍵１１が押下されると、磁石２６が図１３に示す左下方側に配置されることから、図１３に示す磁界の向きＶ５が検出される。
【００５８】
このように実施の形態３に係る磁気式鍵盤装置によれば、磁石２６を、使用者の白鍵１１に対する押下動作に応じて当該磁石２６がＧＭＲ素子２４の側方近傍を通過する位置に配置している。これにより、ＧＭＲ素子２４の側方近傍を通過する磁石２６の位置に応じて磁界の向きを変化させることできるので、使用者による白鍵１１の押下動作に応じて正確に白鍵１１の押下量を検出することが可能となる。
【００５９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６０】
例えば、上記実施の形態においては、磁気検出素子として、ＧＭＲ素子２４を用いた場合について説明しているが、これに限定されるものではなく、適宜変更が可能である。磁石２６から発生する磁界の向きを検出することができれば、いかなる磁気検出素子であっても適用することが可能である。この場合、磁気検出素子は、ホール素子であっても良い。
【図面の簡単な説明】
【００６１】
【図１】本発明の実施の形態に係る磁気式鍵盤装置の外観の一部を示す図である。
【図２】本発明の実施の形態１に係る磁気式鍵盤装置を側方から見た場合の模式図である。
【図３】実施の形態１に係る磁気式鍵盤装置を図２に示す左方側から見た場合の拡大図である。
【図４】実施の形態１に係る磁気式鍵盤装置のＧＭＲ素子で検出される磁界の向きについて説明するための図である。
【図５】実施の形態１に係る磁気式鍵盤装置におけるＧＭＲ素子の出力値の変化について説明するための図である。
【図６】実施の形態１に係る磁気式鍵盤装置におけるＧＭＲ素子の出力値の変化について説明するための図である。
【図７】本発明の実施の形態２に係る磁気式鍵盤装置を側方から見た場合の模式図である。
【図８】実施の形態２に係る磁気式鍵盤装置を図２に示す左方側から見た場合の拡大図である。
【図９】実施の形態２に係る磁気式鍵盤装置のＧＭＲ素子で検出される磁界の向きについて説明するための図である。
【図１０】本発明の実施の形態３に係る磁気式鍵盤装置を側方から見た場合の模式図である。
【図１１】実施の形態３に係る磁気式鍵盤装置を図１０に示す左方側から見た場合の拡大図である。
【図１２】実施の形態３に係る磁気式鍵盤装置が有する磁石から発生する磁界について説明するための図である。
【図１３】実施の形態３に係る磁気式鍵盤装置のＧＭＲ素子で検出される磁界の向きについて説明するための図である。
【符号の説明】
【００６２】
１０  磁気式鍵盤装置
１１  白鍵
１２  黒鍵
１３  収納部
２１  プリント配線基板
２２  支持軸
２３  スプリング
２４  ＧＭＲ素子
２５  磁性体
２６  磁石
【図１】
2008176164.tif 000003
【図２】
2008176164.tif 000004
【図３】
2008176164.tif 000005
【図４】
2008176164.tif 000006
【図５】
2008176164.tif 000007
【図６】
2008176164.tif 000008
【図７】
2008176164.tif 000009
【図８】
2008176164.tif 000010
【図９】
2008176164.tif 000011
【図１０】
2008176164.tif 000012
【図１１】
2008176164.tif 000013
【図１２】
2008176164.tif 000014
【図１３】
2008176164.tif 000015